(57)【特許請求の範囲】
【請求項１】
針挿入穴と、該針挿入穴に対して角度を持った糸挿入スリットとを有する針受部材と、
前記針受部材に対して離反した位置と接近した位置との間で揺動可能となっており、離反した位置から接近した位置へと揺動するときに、前記針挿入穴に挿入された針の針穴に、前記糸挿入スリットに挿入された糸を押し出し可能な糸通しピンを有する、糸通し部材と、
を備えた針糸通し装置において、
前記糸通しピンは、前記糸通し部材の本体に対して一定の揺動範囲内で揺動可能となっており、前記糸通し部材は、さらに前記糸通しピンの揺動中心と、前記糸通しピンを前記本体に対して前記針受部材に接近する方向に付勢する付勢部材とを備え、
前記糸通しピンの揺動中心と、前記糸通し部材の揺動中心とが異なる位置にあり、前記糸通しピンの揺動中心と前記糸通しピンとの間隔は、前記糸通し部材の揺動中心と前記糸通しピンとの間隔より短いことを特徴とする針糸通し装置。
【発明の詳細な説明】
【技術分野】
【０００１】
本発明は、揺動する糸通しピンによって針の針穴に簡単に糸を通すことができる針糸通し装置に関する。
【背景技術】
【０００２】
従来、この種の針糸通し装置としては、特許文献１〜３に記載されたものが知られている。
【０００３】
特許文献１の針糸通し装置では、針が挿入される針挿入穴と、該針挿入穴に交差して糸が通される糸通し穴と、糸通し穴の入口付近に糸載置部（糸挿入スリット）とを設けると共に、押圧部材の押圧力で作動部材を介して作動部材（糸通し部材）に設けた糸係止片（糸通しピン）を糸通し穴に挿脱自在に設けている。針を針挿入穴に挿入して糸を糸載置部にセットして押圧部材を押圧すると、作動部材が揺動するので、作動部材に設けた糸係止片が糸載置部にセットされた糸を糸通し穴に引き込み、針穴に通し、押圧部材の押圧を解除すると、作動部材がバネによって揺動復帰し、元の状態に戻り、糸を針穴に通った状態にすることができるようになっている。
【０００４】
特許文献２の針糸通し具では、針が挿入される針支持用穴と、針支持用穴と交差する貫通路と、糸載置部（糸挿入スリット）とを設けており、押しボタンを押すとアーム部（糸通し部材）が揺動して、アーム部に連接した突き出し部材（糸通しピン）が糸載置部にセットされた糸を針穴に通し、押しボタンを解除すると、アーム部がその弾性力で元の状態に戻り、それに応じて突き出し部材が糸をそのまま残して逆方向に戻るようになっている。
【０００５】
特許文献３の針糸通し装置においては、針挿入穴と該針挿入穴に対して角度を持った糸挿入スリットとが形成された針受部材と、針受部材に対して離反した位置と接近した位置との間で移動可能となっており、離反した位置から接近した位置へと移動するときに、針挿入穴に挿入された針の針穴に、前記糸挿入スリットに挿入された糸を押し出し可能な糸通しピンを有する糸通し部材と、を備えている。
【先行技術文献】
【特許文献】
【０００６】
【特許文献１】特許第３３１５３６４号公報
【特許文献２】特開平１１−４９１号公報
【特許文献３】国際公開第２００９／１１３５２９号パンフレット
【発明の概要】
【発明が解決しようとする課題】
【０００７】
しかしながら、かかる従来の装置においては、糸通し部材が揺動してそれに応じて糸通しピンが針に接近したときに、糸通しピンが針穴をうまく通過しない場合がある。このような場合に、糸通し部材を無理に操作すると、糸通しピンが耐えられず、曲がって破損するというおそれがある。
【０００８】
本発明はかかる課題に鑑みなされたもので、糸通しピンが針穴を通過しないときでも糸通しピンの破損を防止することができる針糸通し装置を提供することをその目的とする。
【課題を解決するための手段】
【０００９】
上記目的を達成するために、本発明の第１の態様は、針挿入穴と、該針挿入穴に対して角度を持った糸挿入スリットとを有する針受部材と、
前記針受部材に対して離反した位置と接近した位置との間で揺動可能となっており、離反した位置から接近した位置へと揺動するときに、前記針挿入穴に挿入された針の針穴に、前記糸挿入スリットに挿入された糸を押し出し可能な糸通しピンを有する、糸通し部材と、
を備えた針糸通し装置において、
前記糸通しピンは、前記糸通し部材の本体に対して一定の揺動範囲内で揺動可能となっており、前記糸通し部材は、さらに前記糸通しピンを前記本体に対して前記針受部材に接近する方向に付勢する付勢部材を備えることを特徴とする。
【００１０】
本発明の第２の態様は、前記糸通しピンの揺動中心と、前記糸通し部材の揺動中心とが異なる位置にあることを特徴とする。
【発明の効果】
【００１１】
本発明によれば、糸通し部材が揺動してそれに応じて糸通しピンが針に接近したときに、糸通しピンが針穴を通過することができない場合には、糸通しピンが糸通し部材の本体に対して付勢部材の付勢力に抗して揺動することができるために、糸通しピンに作用する力を緩衝させることができ、糸通しピンの破損を防ぐことができる。
【図面の簡単な説明】
【００１２】
【図１】本発明に係る針糸通し装置の収納時の全体図である。
【図２】図１の針糸通し装置の収納時の部分縦断面図である。
【図３】図１の針糸通し装置の内部の分解斜視図である。
【図４】図１の針糸通し装置の要部の斜視図である。
【図５】図１の針糸通し装置の収納時の要部縦断面図である。
【図６】図１の針糸通し装置の使用時の要部縦断面図である。
【図７】図１の針糸通し装置の使用時の要部縦断面図である。
【図８】図１の針糸通し装置の使用時の要部縦断面図である。
【図９】図１の針糸通し装置の使用時の要部縦断面図である。
【図１０】糸を通した針を表す。
【発明を実施するための形態】
【００１３】
以下、図面を用いて本発明の実施の形態を説明する。
【００１４】
図１〜図５に示すように、本発明による針糸通し装置１０は、全体的に細長構造をなしており、その一端部側が針糸通し装置１０を構成する針糸通しユニット１２、他端部側に収納ユニット１４が設けられて、両ユニットが軸方向に連結されて一体となっている。
【００１５】
針糸通しユニット１２は、前記収納ユニット１４の本体を兼用する本体３０と、本体３０の外側にあり本体３０に対してその軸方向に所定の範囲で摺動自在となった筒状の切替手段であるカバー３２と、を備えている。カバー３２には端部から軸方向に延びる長孔３２ａが形成されている。
【００１６】
収納ユニット１４は本体３０内に形成される収納空間を覆うべく本体３０に着脱可能に被着するキャップ１６を備えている。
【００１７】
尚、以下の説明において便宜上、針糸通しユニット１２について、収納ユニット１４側を基端側とし、反対側を先端側と称することとする。
【００１８】
本体３０の先端部側には針受部材３４が連結される。針受部材３４は、図３に示すように、ほぼ対称的に形成された２つの針受部品３６、３８から構成され、一方の針受部品３６に形成された複数の係合突起３６ａに他方の針受部品３８に形成された複数の係合孔３８ａが嵌合することで、両者は本体３０と一体化される針受部材３４を構成する。針受部材３４は、本体３０に対して圧入、係合、接着等の任意の固定手段によって本体３０に固定される。
【００１９】
各針受部品３６、３８の先端部には、鍔部３６ｂ、３８ｂが形成されており、これらの鍔部３６ｂ、３８ｂがそれぞれ本体３０の先端面に当接する。
【００２０】
各針受部品３６、３８には、互いの対向面に、先端部から長溝部３６ｃ、３８ｃが形成されており、針受部品３６、３８が組み合わされて針受部材３４を構成したときに、長溝部３６ｃ、３８ｃは、針が挿入されるための針挿入穴３４ｃ（図２、図５参照）を形成する。
【００２１】
各針受部品３６、３８には、突出部３６ｄ、３８ｄが形成されており、針受部品３６、３８が組み合わされて針受部材３４を構成したときに、これらの突出部３６ｄ、３８ｄの対向面同士の間にはわずかな隙間が形成されるようになっている。この隙間は、針挿入穴３４ｃに連通するように径方向内側にまで形成される。また、この突出部３６ｄ、３８ｄは、カバー３２の前記長孔３２ａから若干突出して、露出する。
【００２２】
該突出部３６ｄ、３８ｄの露出面には、針挿入穴３４ｃの末端部（即ち、基端部側）に向かって延びるスリット３６ｅ、３８ｅが形成される。スリット３６ｅ、３８ｅは、露出面から基端側へと斜めに延びた後、長溝部３６ｃ、３８ｃで構成される針挿入穴３４ｃに対して直交する方向に延びる。これらのスリット３６ｅ、３８ｅによって糸挿入スリット３４ｅ（図２、図５参照）が形成される。また、長溝部３６ｃ、３８ｃの末端部、即ち、基端部に隣り合うようにして収容溝３６ｆ、３８ｆが形成されており、この収容溝３６ｆ、３８ｆによってマグネット収容部３４ｆ（図２、図５参照）が形成される。マグネット収容部３４ｆには、マグネット４０が収容される。
【００２３】
また、針受部品３６、３８の対向面側には、長溝部３６ｃ、３８ｃの末端部から該長溝部３６ｃ、３８ｃに直交する方向に、且つ、突出部３６ｄ、３８ｄと反対の方向に凹部３６ｇ、３８ｇが延びている。針受部品３６、３８が組み合わされて針受部材３４を構成したときに、この凹部３６ｇ、３８ｇによって抜け孔３４ｇ（図２、図５参照）が形成される。さらに、凹部３６ｇ、３８ｇの反対側に第２凹部３６ｍ、３８ｍを備え、凹部３６ｇ、３８ｇと同じ対向面側にカッター６４を収容するための第３凹部３６ｎ、３８ｎを備える。
【００２４】
針受部品３６、３８の突出部３６ｄ、３８ｄよりも基端側には、切欠部３６ｈ、３８ｈが形成される。切欠部３６ｈ、３８ｈの周囲は、肉薄の板状部３６ｉ、３８ｉとなっており、該板状部３６ｉ、３８ｉの基端部には、軸受孔３６ｊ、３８ｊが穿設されている。また、切欠部３６ｈ、３８ｈ内には、半円柱状の突起３６ｋ、３８ｋが突設されており、この突起３６ｋ、３８ｋによってバネ受け突起３４ｋ（図２、図５参照）が形成される。
【００２５】
この板状部３６ｉ、３８ｉを挟むようにして、糸通し部材４２が配置される。糸通し部材４２は、ほぼ対称的に形成された２つの糸通し本体部品４６、４８からなる糸通し本体４４と、糸通し本体部品４６、４８に挟まれて、ほぼ対称的に形成されたピンホルダ部品５２、５４と糸通しピン部品５６とからなるピン組立体５０と、付勢部材であるバネ５８と、付勢部材である補助バネ６０と、から構成される。
【００２６】
一方のピンホルダ部品５２に形成された複数の係合突起５２ａに、糸通しピン部品５６に形成された複数の係合孔５６ａ及び他方のピンホルダ部品５４に形成された複数の係合孔５４ａが嵌合することで、糸通しピン部品５６を挟んだ状態で、ピンホルダ部品５２、５４は糸通しピン部品５６と一体化されてピン組立体５０となる。ピンホルダ部品５２、５４の対向面と反対側の面に突軸５２ｂ、５４ｂが突設されており、また、基端側には、軸受孔５２ｃ、５４ｃが形成され、また、半円柱状の突起５２ｄ、５４ｄが形成されている。
【００２７】
糸通しピン部品５６には、ピンホルダ部品５２、５４の間から突出する糸通しピン５６ｂが形成される。
【００２８】
また、一方の糸通し本体部品４６に形成された複数の係合突起４６ａに他方の糸通し本体部品４８に形成された複数の係合孔４８ａが嵌合することで、両者は糸通し本体４４を構成する。さらに、糸通し本体部品４６、４８には、対向面に枢軸４６ｂ、４８ｂが形成されていると共に、枢軸４６ｂ、４８ｂから離れた位置に、枢軸４６ｂ、４８ｂを曲率中心とする円弧状の長孔４６ｃ、４８ｃが形成されている。
【００２９】
糸通し本体部品４６、４８の枢軸４６ｂ、４８ｂが、ピンホルダ部品５２、５４の軸受孔５２ｃ、５４ｃに回動可能に嵌合し、且つ糸通し本体部品４６、４８の長孔４６ｃ、４８ｃ内にピンホルダ部品５２、５４の突軸５２ｂ、５４ｂが摺動可能に嵌合することで、ピン組立体５０は、長孔４６ｃ、４８ｃの範囲で、糸通し本体４４内において枢軸４６ｂ、４８ｂを揺動中心として糸通し本体４４に対して揺動可能となっている。また、補助バネ６０が、糸通し本体４４内において、糸通し本体４４の壁面とピンホルダ部品５２、５４の突起５２ｄ、５４ｄによって形成されるバネ受け突起との間に介挿されることで、ピン組立体５０は付勢されて、突軸５２ｂ、５４ｂは常時、長孔４６ｃ、４８ｃの端部に位置し、糸通しピン５６ｂが針受部材３４又は針受部材３４の針挿入穴３４ｃにより接近する方向に付勢される。
【００３０】
一方、糸通し本体部品４６には枢軸４６ｄが形成されており、他方の糸通し本体部品４８には枢軸４６ｄに対応する部分に切欠４８ｄが形成されており、枢軸４６ｄは、前記針受け部品３６、３８の軸受孔３６ｊ、３８ｊに回動可能に嵌合する。こうして、糸通し本体部品４６、４８が前記針受部品３６、３８の板状部３６ｉ、３８ｉに隣接し、バネ５８が、針受部品３６、３８の突起３６ｋ、３８ｋによって形成されるバネ受け突起３４ｋと、糸通し本体部品４６、４８に形成されたバネ受け部４６ｅ、４８ｅとの間に介挿される。これによって、糸通し部材４２は、軸受孔３６ｊ、３８ｊを揺動中心として針受部材３４に対して揺動可能に、つまり、針受部材３４又は針受部材３４の針挿入穴３４ｃに対してその先端が離反する位置と接近する位置との間で揺動可能となっており、且つその先端が針受部材３４に対してバネ５８によって離反する方向に付勢されて取り付けられる。
【００３１】
糸通し部材４２の針受部材３４に対する離反する位置から接近する位置への揺動運動の際に、糸通しピン部品５６の糸通しピン５６ｂは、前記針受部品３６、３８の突出部３６ｄ、３８ｄの対向面の間に形成される隙間から、針挿入穴３４ｃを形成する長溝部３６ｃ、３８ｃの基端部を通過し、抜け穴３４ｇを構成する凹部３６ｇ、３８ｇまでを往復運動することができる。
【００３２】
糸通し部材４２をバネ５８の付勢力に抗して、最大限、針受部材３４に接近させたときに、糸通し本体部品４６、４８の先端部に形成されて径方向及び先端方向に突出する突出部４６ｇ、４８ｇが、前記針受部品３６、３８の突出部３６ｄ、３８ｄに接近する。
【００３３】
尚、バネ６０とバネ５８とでは、バネ５８のバネ力の方が大きくなるように設定されている。
【００３４】
また、糸通し本体部品４６、４８のそれぞれの対向面には抜け止め突起４６ｆ、４８ｆが形成される。
【００３５】
さらに、針受部品３６、３８の第２凹部３６ｍ、３８ｍに形成された軸受部に軸受されて、保護カバー６６が針受部品３６、３８に取り付けられる。
【００３６】
保護カバー６６は、一対の大きくＵ字状に折曲がった脚部６６ａ、６６ａと、脚部６６ａと反対側で小さく折れ曲がった頭部６６ｂとを備え、頭部６６ｂの中心には上下に延びるスリット６６ｃが形成されている。脚部６６ａ、６６ａは、針受部品３６、３８の第２凹部３６ｍ、３８ｍ内に形成された軸受部に軸受されて、針受部品３６、３８に取り付けられる。保護カバー６６は、その弾性により屈曲するように変形可能となっている。頭部６６ｂの折れ曲がった端部には小突起６６ｄが突設されている。
【００３７】
保護カバー６６が針受部品３６、３８に取り付けられている状態で、保護カバー６６の頭部６６ｂと針受部品３６、３８との間には糸挿入スリット３４ｅに連続する隙間が形成される。
【００３８】
以上のように構成される針糸通しユニット１２において、不使用時には、図２及び図５に示すようにカバー３２は、針受部材３４の大部分を覆った位置（拘束位置）にあり、且つ、糸通し部材４２は、糸通し本体部品４６、４８の突出部４６ｇ、４８ｇ以外の部分は、カバー３２によって覆われている。このため、糸通し部材４２は、バネ５８の付勢力が封じられており、針受部材３４に接近した位置で拘束され、針受部材３４と共にカバー３２内に収まっている。従って、この状態で針糸通しユニット１２をコンパクトに収納することができる。このとき、ピン組立体５０の糸通しピン５６ｂは、図５に示すように、保護カバー６６のスリット６６ｃ内に挿入されて、その先端は抜け穴３４ｇに達している。また、糸通しピン５６ｂの両側面はスリット６６ｃによって挟まれている。
【００３９】
使用する際には、カバー３２を本体３０に対して基端側へと摺動させた位置（許容位置）に移動させる。この摺動により、糸通し部材４２は、カバー３２から脱するので、揺動運動が許容され、バネ５８の付勢力によって外方へと揺動する（図６）。このとき、糸通しピン５６ｂは、保護カバー６６のスリット６６ｃ内にあって保護されている。また、糸通し本体部品４６、４８の抜け止め突起４６ｆ、４８ｆがそれぞれ針受部品３６、３８の板状部３６ｉ、３８ｉに形成された抜け止め突起３６ｐ、３８ｐに当接して、糸通し部材４２の抜け止めが図られている。
【００４０】
次いで、図６及び図７に示すように、針７０をその針穴７０ａの方から針挿入穴３４ｃに挿入する。針７０を針挿入穴３４ｃの奥まで挿入すると、マグネット４０の磁力によって針７０を吸着するので、針７０を確実に定位置に固定することができ、針７０の落下を防止することができる。
【００４１】
また、糸７２を糸挿入スリット３４ｅから挿入する。糸挿入スリット３４ｅの末端部は、針穴７０ａの位置に対応するように設定される。糸挿入スリット３４ｅの末端部は、針挿入穴３４ｃに対して直交する方向に延びているため、この直交する部分まで糸７２が到達すればよい。
【００４２】
そして、糸通し部材４２を押圧して、その糸通し本体部品４６、４８の突出部４６ｇ、４８ｇの先端が針受部材３４に接近するように揺動させると、図７及び図８に示すように、糸通しピン部品５６の糸通しピン５６ｂの先端は、糸を押し出しながら、針穴７０ａを通過して、抜け穴３４ｇに達する。糸通し部材４２の押圧を解除すると、糸通しピン５６ｂは針穴７０ａから脱するが、糸７２は、針穴７０ａを通過した状態を維持する。
【００４３】
この糸通し部材４２の揺動時に、糸通しピン５６ｂは、保護カバー６６のスリット６６ｃ内を通過しており、スリット６６ｃによって糸通しピン５６ｂの両側面の変位が制限されるために、細い糸通しピン５６ｂの折れ・曲がりを防止することができる。保護カバー６６は、糸通し部材４２の突出部４６ｇ、４８ｇが接近すると、変形して、糸通し部材４２が針受部材３４に接近するのを阻害しないようになっているとよく、糸挿入スリット３４ｅを閉じて、挿入した糸が逃げないようにするとよい。また、別の糸を誤って挿入することもできないようになっているとよい。
【００４４】
一方、針穴７０ａが適切な位置にない場合には、糸通しピン５６ｂの先端が針穴７０ａを通過することができず、針穴７０ａ以外の針の部分に当接する。この場合、無理に糸通し部材４２の押圧を続けると、糸通しピン５６ｂがその押圧に耐えられず曲がって破損するおそれがある。しかしながら、本発明によれば、図９に示すように、糸通しピン５６ｂが糸通し部材４２の糸押し本体４４に対してバネ６０のバネ力に抗して揺動するために、糸通しピン５６ｂに作用する力を緩衝させることができ、糸通しピン５６ｂの破損を防ぐことができる。
【００４５】
そしてバネ６０のバネ力によって設定される適度な力で糸通しピン５６ｂが針７０を押圧することにより、針穴７０ａが正しい向きとなるように針７０を回転させて矯正させることができ、糸通しピン５６ｂが針穴７０ａを通過することができるようになる。
【００４６】
その他には次の作用が期待できる。即ち、糸通しピン５６ｂは、糸通し本体４４に対してピン組立体５０の突軸５２ｂ、５４ｂが長孔４６ｃ、４８ｃを摺動する軌跡に沿って揺動する。このとき、糸通し部材４２の揺動中心とピン組立体５０の揺動中心とがずれているために、ピン組立体５０の突軸５２ｂ、５４ｂの長孔４６ｃ、４８ｃに対する位置に応じて、糸通し部材４２の揺動中心から糸通しピン５６ｂの先端までの距離が変化し、糸通しピン５６ｂの針７０に対する相対位置が変化する。このため、針穴７０ａの位置が正規の位置からずれていても、糸通しピン５６ｂの位置が変化することで、糸通しピン５６ｂが針穴７０ａを通過することができる可能性が高まり、いずれかのピン組立体５０の揺動位置で、糸通しピン５６ｂが針穴７０ａを通過することができるようになる。または、糸通しピン５６ｂの針７０に対する相対位置が変化することで、糸通しピン５６ｂが針７０に対して効果的に力を及ぼして針穴７０ａが正しい向きになるように針７０の位置を矯正させることの可能性を高めることができる。
【００４７】
そして、針７０を針挿入穴３４ｃから取り出すと、糸７２の一部が針穴７０ａを通過した状態で取り出される。針穴７０ａを通過した糸は図１０に示すように、ループ状になっているので、糸７２の端部を針穴７０ａが通過するまで、そのループを大きくしていくと、ループが解除されて、糸７２が針穴７０ａを通過し、針糸通しが完成する。
【００４８】
使用が終了すれば、糸通し部材４２を押圧して、その糸通し本体部品４６、４８の突出部４６ｇ、４８ｇの先端を針受部材３４に接近させた後、カバー３２で覆って拘束位置に移動させることで、再び装置全体を小型にすることができる。
【００４９】
以上のように本発明によれば、糸通しピン５６ｂの破損を防ぐことができて、糸通し装置１０の耐久性を高めることができる。また、糸通しピン部品５６がピン組立体５０として一体化されて、糸通し本体４４内に収まるので、糸通しピン部品５６のより一層の保護を図ることができる。
【００５０】
尚、以上の実施形態において複数の部材で構成した部品を単一部材で構成することも可能であり、または単一の部材で構成した部品を複数の部材で構成することも可能である。
【符号の説明】
【００５１】
１０  針糸通し装置
３４    針受部材
３４ｃ  針挿入穴
３４ｅ  糸挿入スリット
４２  糸通し部材
４４  糸通し本体
５６ｂ  糸通しピン
６０  補助バネ（付勢部材）
７０  針
７０ａ  針穴
７２  糸
【図１】
0005740681.tif 000002
【図２】
0005740681.tif 000003
【図３】
0005740681.tif 000004
【図４】
0005740681.tif 000005
【図５】
0005740681.tif 000006
【図６】
0005740681.tif 000007
【図７】
0005740681.tif 000008
【図８】
0005740681.tif 000009
【図９】
0005740681.tif 000010
【図１０】
0005740681.tif 000011